(57)【特許請求の範囲】
【請求項１】
地表に適宜間隔で立設された第１支柱とこの第１支柱間に架設された第１フェンスパネルと、この第１支柱上端に着脱自在に設けられた第２支柱と、この第２支柱間に架設された第２フェンスパネルとからなり、第２支柱の少なくとも上部が第１支柱に対して回動できるような回動部が設けられたことを特徴とする忍び返し付フェンス。
【発明の詳細な説明】
【０００１】
【発明の属する技術分野】
本発明は、フェンスの乗り越えることを防止するための忍び返し付フェンスに関し、特に既設のフェンスを改造して設けられる忍び返し付フェンスに関する。
【０００２】
【従来の技術】
従来、支柱の上部を屈曲させ、支柱上端が敷地境界の外側に向けられ、この支柱の上部に、縦線材の上部が突出された格子状の網体を取り付けてなる忍び返し付フェンスが知られている。
【０００３】
【発明が解決しようとする課題】
しかしながら上記の如き忍び返し付フェンスに於いては、既設のフェンスがある場合、既設のフェンスの支柱を撤去してから、忍び返し用の上部が屈曲された支柱を建て直さねばならないという問題があった。
【０００４】
そこで本発明者は従来の欠点に鑑み鋭意研究の結果、既設のフェンスの支柱に容易に支柱が増設できる忍び返し付フェンスを提供するものである。
【０００５】
【課題を解決するための手段】
本発明忍び返し付フェンスは、地表に適宜間隔で立設された第１支柱とこの第１支柱間に架設された第１フェンスパネルと、この第１支柱上端に着脱自在に設けられた第２支柱と、この第２支柱間に架設された第２フェンスパネルとからなり、第２支柱の少なくとも上部が第１支柱に対して回動できるような回動部が設けられたもので、既設のフェンスの支柱の上端に第２支柱を設けるだけで、容易に忍び返しを増設することができる。又、忍び返しの傾斜角度を適宜変えることができる。
【０００６】
【発明の実施の形態】
以下、図面を参照しながら本発明に付いて説明する。
図１は本発明忍び返し付フェンスの実施形態の第１の例を示す（イ）は正面図であり、（ロ）は側面図である。
図に於いて１は第１支柱であり、地中に適宜間隔で配設された壺基礎により地表に適宜間隔で立設されている。この支柱間に亘って、第１フェンスパネル３が架設されている。第１支柱１の上端には第２支柱２が設けられ、この第２支柱２に縦線材と横線材が格子状に配設された第２フェンスパネル４が設けられている。第２フェンスパネル４の上縁部からは縦線材が突出されて、フェンスを乗り越え難くなされている。
【０００７】
第２支柱２は、下端に断面コ字形の金具が設けられて、係合部２１となされている。第２支柱２の係合部２１は第１支柱１の内径に係合するようになされており、第１支柱１に挿入され、第１支柱１を貫通するボルトにより、第１支柱１に固着される。係合部２１のコ字形の対角線は第１支柱１の内径と略同寸法となされている。
【０００８】
図３は忍び返し付きフェンスの第１の例の要部を示す（イ）は分解斜視図であり、（ロ）は組立図である。図に於いて、第１支柱１は角形鋼管から作製されており、頂部の相対する２辺を貫通して第１フェンスパネル３を取り付けるための取付孔が穿設されている。第２支柱２は第１支柱１と同サイズの角形鋼管からなり、第１支柱１と同様に相対する２辺を貫通する取付孔が設けられ、第２フェンスパネル４が取り付けられるようになされている。第２支柱２の下部は鈍角に屈曲され、下端部内壁には断面コ字形の金具が設けられて、係合部２１となされている。この係合部２１の相対する２辺には係合孔２１１が設けられ、この係合部２１が第１支柱１の上端に挿入された後、第２フェンスパネル４を固定するためのボルトが挿通され、第２フェンスパネル４が固着されるとともに第１支柱１と第２支柱２が固着されるようになされている。
【０００９】
図２は本発明忍び返し付フェンスの実施形態の第２の例を示す（イ）は正面図であり、（ロ）は側面図である。
図に於いて１は第１支柱であり、地中に適宜間隔で配設された壺基礎により地表に適宜間隔で立設されている。この支柱間に亘って、第１フェンスパネル３が架設されている。第１支柱１の上端には第２支柱２が設けられ、この第２支柱２に縦線材と横線材が格子状に配設された第２フェンスパネル４が設けられている。第２フェンスパネル４の上縁部からは縦線材が突出されて、フェンスを乗り越え難くなされている。
【００１０】
図４は忍び返し付きフェンスの第２の例の要部を示す（イ）は分解斜視図であり、（ロ）は組立図である。図に於いて、第１支柱１は丸形鋼管から作製されており、頂部の相対する２辺を貫通して第１フェンスパネル３を取り付けるための取付孔が穿設されている。第２支柱２は第１支柱１と同サイズの丸形鋼管からなり、第１支柱１と同様に相対する２面を貫通する取付孔が設けられ、第２フェンスパネル４が取り付けられるようになされている。第２支柱２の下部は鈍角に屈曲され、下端部内壁には断面コ字形の金具が設けられて、係合部２１となされている。この係合部２１の相対する２辺には係合孔２１１が設けられ、この係合部２１が第１支柱１の上端に挿入された後、第２フェンスパネル４を固定するためのボルトが挿通され、第２フェンスパネル４が固着されるとともに第１支柱１と第２支柱２が固着されるようになされている。
【００１１】
図５は本発明忍び返し付フェンスの実施形態の第３の例を示す（イ）は斜視図であり、（ロ）は分解図である。
この例に於いては第２支柱２は上部支柱２２と基部２３からなり、上部支柱２２の下端と基部２３の上端には菊座状の凹凸が形成された回動部２４が設けられ、この回動部２４の中心には貫通孔が設けられてボルト孔２５となされている。上部支柱２２と基部２３は互いの回動部２４の菊座状の凹凸が当接され、ボルト孔２５にボルトが挿通されてこのボルトにより固着される。このボルトが緩められると上部支柱２２は基部２３に対して回動可能となり、第２支柱２に設けられた忍び返しの角度が変えられる。
【００１２】
【発明の効果】
上述の如く、本発明忍び返し付フェンスは、地表に適宜間隔で立設された第１支柱とこの第１支柱間に架設された第１フェンスパネルと、この第１支柱上端に着脱自在に設けられた第２支柱と、この第２支柱間に架設された第２フェンスパネルとからなり、第２支柱の少なくとも上部が第１支柱に対して回動できるような回動部が設けられたもので、既設の支柱や支柱の基礎を除去する必要が無く、施工が容易で、無駄がない。又、忍び返しの傾斜角度を適宜変えることができるので、様々な角度の忍び返しの付いたフェンスを提供することが出来る。
【図面の簡単な説明】
【図１】  本発明忍び返し付フェンスの実施形態の第１の例を示す（イ）は正面図であり、（ロ）は側面図である。
【図２】  本発明忍び返し付フェンスの実施形態の第２の例を示す（イ）は正面図であり、（ロ）は側面図である。
【図３】  忍び返し付きフェンスの第１の例の要部を示す（イ）は分解斜視図であり、（ロ）は組立図である。
【図４】  忍び返し付きフェンスの第２の例の要部を示す（イ）は分解斜視図であり、（ロ）は組立図である。
【図５】  本発明忍び返し付フェンスの実施形態の第３の例を示す（イ）は斜視図であり、（ロ）は分解図である。
【符号の説明】
１    第１支柱
２    第２支柱
２１  係合部
２１１  係合孔
２２  上部支柱
２３  基部
２４  回動部
２５  ボルト孔
３    第１フェンスパネル
４    第２フェンスパネル
【図１】
0003818443.tif 000002
【図２】
0003818443.tif 000003
【図３】
0003818443.tif 000004
【図４】
0003818443.tif 000005
【図５】
0003818443.tif 000006